(57)【特許請求の範囲】
【請求項１】
電解槽内をイオン透過能を有する隔膜にて区画して形成された一対の隔室のうち、一方の隔室には前記隔膜に近接して第１の電極を配置するとともに同第１の電極に対向して所定間隔を保持して第２の電極を配置し、かつ他方の隔室には第３の１枚の電極を配置してなり、前記第１の電極と前記第３の電極を直流電源の負極側に接続するとともに、前記第２の電極を前記直流電源の正極側に接続し、かつ同直流電源と前記第１の電極との接続回路に可変抵抗器と開閉スイッチを介装したことを特徴とする電解水生成装置。
【発明の詳細な説明】
【０００１】
【発明の属する技術分野】
本発明は、次亜塩素酸、次亜塩素酸ナトリウム等を主要成分として含有し、殺菌作用、消毒作用を有するｐＨ３未満の強酸性の電解水と、ｐＨ３〜７の範囲の酸性〜中性の電解水とを選択的に製造し得る電解水生成装置に関する。
【０００２】
【従来の技術】
次亜塩素酸、次亜塩素酸ナトリウム等を主要成分として含有し、殺菌作用、消毒作用を有する電解水を製造するための電解水生成装置の一形式として、特公平４−４２０７７号公報に示されているように、電解槽内をイオン透過能を有する隔膜にて区画して形成された一対の隔室にそれぞれ電極を配置して陽極室と陰極室とを構成し、これら両電極室に供給される希薄食塩水を両電極間で有隔膜電解する電解水生成装置がある。当該電解水生成装置においては、陽極室内で生成される陽極室側生成水が主として次亜塩素酸を含む強酸性水であり、また陰極室内で生成される陰極室側生成水が強アルカリ性水である。
【０００３】
【発明が解決しようとする課題】
しかして、当該電解水生成装置においては、陽極室側生成水はｐＨが３未満という強い酸性となる。次亜塩素酸、次亜塩素酸ナトリウム等を主要成分として含む水溶液ではｐＨが低い程殺菌力は高く、殺菌力の点からすれば低いｐＨ程好ましい。しかしながら、殺菌処理、消毒処理の対象によっては、ｐＨが３〜７の範囲の任意の値の電解水であることが好ましい場合がある。
【０００４】
従って、本発明の目的は、次亜塩素酸、次亜塩素酸ナトリウム等を主要成分として含有し、殺菌作用、消毒作用を有するｐＨ３未満の強酸性の電解水と、ｐＨ３〜７の範囲の酸性〜中性の電解水とを選択的に製造し得る電解水生成装置を提供することにある。
【０００５】
【課題を解決するための手段】
本発明に係る電解水生成装置は、電解槽内をイオン透過能を有する隔膜にて区画して形成された一対の隔室のうち、一方の隔室には前記隔膜に近接して第１の電極を配置するとともに同第１の電極に対向して所定間隔を保持して第２の電極を配置し、かつ他方の隔室には第３の１枚の電極を配置してなり、前記第１の電極と前記第３の電極を直流電源の負極側に接続するとともに、前記第２の電極を前記直流電源の正極側に接続し、かつ同直流電源と前記第１の電極との接続回路に可変抵抗器と開閉スイッチを介装したことを特徴とするものである。
【０００６】
【発明の作用・効果】
本発明に係る電解水生成装置においては、開閉スイッチの操作により第１の電極の直流電源に対する接続を断続することができるとともに、第１の電極の直流電源に対する接続時には、可変抵抗器の操作により第１の電極および第３の電極に対する電流を調整することができる。
【０００７】
このため、第１の電極の直流電源に対する接続を遮断した状態においては、一方の隔室内の第２の電極が陽極になるとともに他方の隔室内の第３の電極が陰極となって、これら両電極間で希薄食塩水の有隔膜電解が行われ、一方の隔室内では強酸性であるｐＨ３未満の電解水が生成されるとともに、他方の隔室内ではｐＨ１１以上の強アルカリ性の電解水が生成される。
【０００８】
また、第１の電極を直流電源に接続した状態では、第２の電極が陽極になるとともに第１の電極および第３の電極が陰極となり、可変抵抗器の操作によって１の電極および第３の電極に対する電流を調整することにより、一方の隔室内の第２の電極と第１の電極間で希薄食塩水の無隔膜電解が行われるとともに、一方の隔室と他方の隔室間で電気透析が行われる。これにより、一方の隔室内で無隔膜電解により生成した電解水中のナトリウムイオン等陽イオン成分が他方の隔室内へ移行し、一方の隔室内ではｐＨが３〜７の範囲の酸性〜中性の電解水が生成されるとともに、他方の隔室内ではｐＨが１０〜１１のアルカリ性の電解水が生成される。
【０００９】
このため、開閉スイッチを操作して、第１の電極の直流電源に対する接続を選択的に断続することにより、一方の隔室内にてｐＨが３未満の強酸性の電解水と、ｐＨが３〜７の酸性〜中性の電解水を選択的に生成することができる。
【００１０】
【発明の実施の形態】
以下本発明を図面に基づいて説明するに、図１には本発明に係る電解水生成装置の一例が示されている。当該電解水生成装置は、電解槽１１、隔膜１２および３枚の電極１３ａ，１３ｂ，１３ｃを備えている。隔膜１２は陽イオンを透過可能なもので、電解槽１１内に配設されて電解槽１１内を２つの隔室１４ａ，１４ｂに区画していており、一方の隔室１４ａには第１電極１３ａと第２電極１３ｂが配設され、かつ他方の隔室１４ｂには第３電極１３ｃが配設されている。
【００１１】
第１電極１３ａは隔膜１２に近接して配設されているとともに、第２電極１３ｂは第１電極１３ａとは所定の間隔を保持して対向して配設されていて、隔膜１２とは離れて位置している。また、第３電極１３ｃは隔膜１２から離れて位置して配設されている。第１電極１３ａと第３電極１３ｃとは直流電源１５ａの負極側に接続され、かつ第２電極１３ｂは直流電源１５ａの正極側に接続されている。また、第１電極１３ａと直流電源１５ａの接続回路には開閉スイッチ１５ｂと可変抵抗器１５ｃが介装されている。
【００１２】
電解槽１１においては、両隔室１４ａ，１４ｂに希薄食塩水を供給するための供給管路１６ａ，１６ｂと、電解水を流出させるための流出管路１７ａ，１７ｂが接続されている。各供給管路１６ａ，１６ｂは供給ポンプ１６ｃを介して希薄食塩水の貯溜タンク１８が接続されている。また、貯溜タンク１８は水道水の供給源に接続されていて、貯溜タンク１８内にて希薄食塩水の調製が行えるようになっている。なお、符号１６ｄ，１６ｅは開閉バルブを示す。
【００１３】
このように構成した電解水生成装置においては、開閉スイッチ１５ｂの操作により第１電極１３ａの直流電源１５ａに対する接続を断続することができるとともに、第１電極１３ａの直流電源１５ａに対する接続時には、可変抵抗器１５ｃの操作により第１電極１３ａおよび第３電極１３ｃに対する電流を調整することができる。従って、当該電解水生成装置においては、開閉スイッチ１５ｂの操作により、第１電極１３ａの直流電源１５ａに対する接続を遮断した状態と、接続した状態を選択して、各供給管路１６ａ，１６ｂを通して各隔室１４ａ，１４ｂ内へ供給される希薄食塩水を電解することができる。
【００１４】
当該電解水生成装置において、第１電極１３ａの直流電源１５ａに対する接続を遮断した状態においては、一方の隔室１４ａ内の第２電極１３ｂが陽極になるとともに他方の隔室１４ｂ内の第３電極１３ｃが陰極となって、これら両電極間１３ｂ，１３ｃで希薄食塩水の有隔膜電解が行われる。かかる電解は希薄食塩水の通常の有隔膜電解であって、一方の隔室１４ａ内では強酸性であるｐＨ３未満の電解水が生成されるとともに、他方の隔室１４ｂ内ではｐＨ１１以上の強アルカリ性の電解水が生成される。
【００１５】
また、第１電極１３ａを直流電源１５ａに接続した状態では、第２電極１３ｂが陽極になるとともに第１電極１３ａおよび第３電極１３ｃが陰極となり、可変抵抗器１５ｃの操作によって第１電極１３ａおよび第３電極１３ｃに対する電流を調整することにより、一方の隔室１４ａ内の第２電極１３ｂと第１電極１３ａ間で希薄食塩水の無隔膜電解が行われるとともに、一方の隔室１４ａと他方の隔室１４ｂ間で電気透析が行われる。
【００１６】
一方の隔室１４ａにおける電解は希薄食塩水の通常の無隔膜電解であって、第３電極１３ｃが第１電極１３ａに対して電位が低くなり、一方の隔室１４ａ内で生成したナトリウムイオン等の陽イオン成分が他方の隔室１４ｂ内へ移動する。両隔室１４ａ，１４ｂ内の電解水のｐＨは、この陽イオン成分の移動量に対応して調整される。
【００１７】
一方の隔室１４ａ内からの陽イオン成分の他方の隔室１４ｂ内への移動量は第２電極１３ｂと第３電極１３ｃ間に付与される電流値に対応するもので、この電流値は可変抵抗器１５ｃの抵抗値を変更することにより変更することができる。このため、可変抵抗器１５ｃの抵抗値を変更することにより、一方の隔室１４ａ内の陽イオン成分の他方の隔室１４ｂ内への移動量を変更して、一方の隔室１４ａ内で生成される電解水のｐＨを３〜７の範囲の任意の値に調整することができる。
【００１８】
このため、当該電解水生成装置においては、開閉スイッチ１５ｂを操作して、第１電極１３ａの直流電源１５ａに対する接続を選択的に断続することにより、一方の隔室１４ａ内にｐＨが３未満の強酸性の電解水と、ｐＨが３〜７の酸性〜中性の電解水を選択的に生成することができる。なお、各隔室１４ａ，１４ｂ内で生成された電解水は流出管路１７ａ，１７ｂを通して外部へ流出される。
【図面の簡単な説明】
【図１】本発明の一例に係る電解水生成装置の概略構成図である。
【符号の説明】
１１…電解槽、１２…隔膜、１３ａ，１３ｂ，１３ｃ…電極、１４ａ，１４ｂ…隔室、１５ａ…直流電源、１５ｂ…開閉スイッチ、１５ｃ…可変抵抗器、１６ａ，１６ｂ…塩水の供給管路、１７ａ，１７ｂ…生成水の流出管路。
【図１】
0003667405.tif 000002